(57)【要約】【課題】ティッシュペーパーボックスを机やテーブル等の被取付物に逆着脱機構によりティッシュペーパーボックスの上面が下を向く状態に逆取付けすることができ、机やテーブル等の底面に取り付けることができて机やテーブルの上面のスペースを狭めることが無くなり、ティッシュペーパーボックスが邪魔になることもなくなり、それだけ使用の利便性を高めることができる。【解決手段】上面１ａに形成された引抜口１ｂから順次一枚宛ティッシュペーパーＰを引抜可能な構造の略四角箱状のティッシュペーパーボックス１と、ティッシュペーパーボックスを被取付物にティッシュペーパーボックスの上面が下を向く逆取付可能な逆着脱機構２と、ティッシュペーパーボックスのティッシュペーパーボックス内のティッシュペーパーの自重を担持可能な担持機構３とを備えてなる。【選択図】図１
2005162243.tif 000002
【特許請求の範囲】
【請求項１】
上面に形成された引抜口から順次一枚宛ティッシュペーパーを引抜可能な構造の略四角箱状のティッシュペーパーボックスと、該ティッシュペーパーボックスを被取付物に該ティッシュペーパーボックスの上面が下を向く逆取付可能な逆着脱機構と、該ティッシュペーパーボックスの該ティッシュペーパーボックス内のティッシュペーパーの自重を担持可能な担持機構とを備えてなることを特徴とするティッシュペーパーボックス。
【請求項２】
上記逆着脱機構として、相互に着脱可能な一対の面ファスナを用いてなり、この一方の面ファスナーを上記ティッシュペーパーボックスの底面に貼着すると共に他方の面ファスナーを被取付物の底面に貼着してなることを特徴とする請求項１又は２記載のティッシュペーパーボックス。
【請求項３】
上記逆着脱機構として、上記被取付物に取付可能な中間部材を形成し、該中間部材に上記ティッシュペーパーボックスの底面に着脱自在に係合可能な係合部を設けてなることを特徴とする請求項１記載のティッシュペーパーボックス。
【請求項４】
上記担持機構として、上記ティッシュペーパーボックスを底面より上面が小さな四角錐形状に形成し、該ティッシュペーパーボックスの四側面の内面でティッシュペーパーの自重を担持するように設けてなることを特徴とする請求項１〜３のいずれか１項に記載のティッシュペーパーボックス。
【請求項５】
上記担持機構として、上記ティッシュペーパーボックスの内面に上記ティッシュペーパーの自重を担持可能な突片体を設けてなることを特徴とする請求項１〜３のいずれか１項に記載のティッシュペーパーボックス。
【請求項６】
上記担持機構として、上記ティッシュペーパーボックスの対向内面間に上記ティッシュペーパーの自重を担持可能な弾性紐体を架設してなることを特徴とする請求項１〜３のいずれか１項に記載のティッシュペーパーボックス。
【発明の詳細な説明】
【技術分野】
【０００１】
本発明は例えば机やテーブルの底面に取り付けて使用されるティッシュペーパーボックスに関するものである。
【背景技術】
【０００２】
従来、この種のティッシュペーパーボックスとして、略四角箱状の上面に形成された引抜口から順次一枚宛ティッシュペーパーを引抜可能に形成された構造のものが知られている。
【特許文献１】特開平８−２１７１６５号公報
【発明の開示】
【発明が解決しようとする課題】
【０００３】
しかしながら上記従来構造の場合、机やテーブル上に載置して用いられため、机やテーブルの上面のスペースが狭くなるし邪魔になることがあり、それだけ使用の利便性が低下することがあるという不都合を有している。
【課題を解決するための手段】
【０００４】
本発明はこれらの不都合を解決することを目的とするもので、本発明のうちで、請求項１記載の発明は、上面に形成された引抜口から順次一枚宛ティッシュペーパーを引抜可能な構造の略四角箱状のティッシュペーパーボックスと、該ティッシュペーパーボックスを被取付物に該ティッシュペーパーボックスの上面が下を向く逆取付可能な逆着脱機構と、該ティッシュペーパーボックスの該ティッシュペーパーボックス内のティッシュペーパーの自重を担持可能な担持機構とを備えてなることを特徴とするティッシュペーパーボックスにある。
【０００５】
又、請求項２記載の発明は、上記逆着脱機構として、相互に着脱可能な一対の面ファスナを用いてなり、この一方の面ファスナーを上記ティッシュペーパーボックスの底面に貼着すると共に他方の面ファスナーを被取付物の底面に貼着してなることを特徴とするものである。
【０００６】
又、請求項３記載の発明は、上記逆着脱機構として、上記被取付物に取付可能な中間部材を形成し、該中間部材に上記ティッシュペーパーボックスの底面に着脱自在に係合可能な係合部を設けてなることを特徴とするものであり、又、請求項４記載の発明は、上記担持機構として、上記ティッシュペーパーボックスを底面より上面が小さな四角錐形状に形成し、該ティッシュペーパーボックスの四側面の内面でティッシュペーパーの自重を担持するように設けてなることを特徴とするものであり、又、請求項５記載の発明は、上記担持機構として、上記ティッシュペーパーボックスの内面に上記ティッシュペーパーの自重を担持可能な突片体を設けてなることを特徴とするものであり、又、請求項６記載の発明は、上記担持機構として、上記ティッシュペーパーボックスの対向内面間に上記ティッシュペーパーの自重を担持可能な弾性紐体を架設してなることを特徴とするものである。
【発明の効果】
【０００７】
本発明は上述の如く、請求項１記載の発明にあっては、ティッシュペーパーボックスを机やテーブル等の被取付物に逆着脱機構によりティッシュペーパーボックスの上面が下を向く状態に逆取付けすることができ、机やテーブル等の底面に取り付けることができて机やテーブルの上面のスペースを狭めることが無くなり、ティッシュペーパーボックスが邪魔になることもなくなり、それだけ使用の利便性を高めることができ、かつ、ティッシュペーパーボックス内のティッシュペーパーの落下方向の自重は担持機構により担持されているので、後続するティッシュペーパーが引きずられて引き抜かれることを防ぐことができ、それだけティッシュペーパーを一枚ずつ円滑に引き抜くことができ、一層使用の利便性を高めることができる。
【０００８】
又、請求項２記載の発明にあっては、上記逆着脱機構として、相互に着脱可能な一対の面ファスナーを用いてなり、この一方の面ファスナーを上記ティッシュペーパーボックスの底面に貼着すると共に他方の面ファスナーを被取付物の底面に貼着してなるから、ティッシュペーパーボックスを被取付物の底面に容易に取り付けることができると共にティッシュペーパーボックスの交換を容易に行うことができる。
【０００９】
又、請求項３記載の発明にあっては、上記逆着脱機構として、上記被取付物に取付可能な中間部材を形成し、この中間部材に上記ティッシュペーパーボックスの底面に着脱自在に係合可能な係合部を設けてなるから、逆着脱機構を兼用化することができ、ティッシュペーパーボックスの交換を容易に行うことができ、又、請求項４記載の発明にあっては、上記担持機構として、上記ティッシュペーパーボックスを底面より上面が小さな四角錐形状に形成し、ティッシュペーパーボックスの四側面の内面でティッシュペーパーの自重を担持するように構成しているから、ティッシュペーパーボックスの四側面の内面とティッシュペーパーの傾斜作用によりティッシュペーパーの自重を担持し、後続するティッシュペーパーが引きずられて引き抜かれることを防ぐことができ、それだけティッシュペーパーを一枚ずつ円滑に引き抜くことができ、又、請求項５記載の発明にあっては、上記担持機構として、ティッシュペーパーボックスの内面に上記ティッシュペーパーの自重を担持可能な突片体を突出形成しているから、ティッシュペーパーボックス内のティッシュペーパーの落下方向の自重は突片体により担持され、後続するティッシュペーパーが引きずられて引き抜かれることを防ぐことができ、それだけティッシュペーパーを一枚ずつ円滑に引き抜くことができ、一層使用の利便性を高めることができ、又、請求項６記載の発明にあっては、上記担持機構として、上記ティッシュペーパーボックスの対向内面間に上記ティッシュペーパーの自重を担持可能なゴム紐等の弾性紐体を架設して構成しているから、ティッシュペーパーボックス内のティッシュペーパーの落下方向の自重は弾性紐体により担持され、後続するティッシュペーパーが引きずられて引き抜かれることを防ぐことができ、それだけティッシュペーパーを一枚ずつ円滑に引き抜くことができ、一層使用の利便性を高めることができる。
【発明を実施するための最良の形態】
【００１０】
図１乃至図１１は本発明の実施の形態例を示し、図１乃至図３は第一形態例、図４、５は第二形態例、図６、図７は第三形態例、図８乃至図１１は第四形態例である。
【００１１】
図１乃至図３の実施の第一形態例において、１はティッシュペーパーボックスであって、上面１ａに形成された引抜口１ｂから順次一枚宛ティッシュペーパーＰを引抜可能な構造の略四角箱状に形成されている。
【００１２】
２は逆着脱機構であって、上記ティッシュペーパーボックス１を机やテーブル等の被取付物Ｗにティッシュペーパーボックス１の上面１ａが下を向く状態で取付可能に構成されている。
【００１３】
３は担持機構であって、ティッシュペーパーボックス１に設けられ、ティッシュペーパーボックス１内のティッシュペーパーＰの自重を担持可能に構成されている。
【００１４】
この場合、上記逆着脱機構２として、相互に着脱可能な一対の面ファスナー２ａ・２ａを用いてなり、この一方の面ファスナー２ａを上記ティッシュペーパーボックス１の底面１ｃに貼着すると共に他方の面ファスナー２ａを被取付物Ｗの底面Ｗ1に貼着してなり、又、この場合、上記担持機構３として、上記ティッシュペーパーボックス１を底面１ｃより上面１ａが小さな四角錐形状に形成し、ティッシュペーパーボックス１の四側面の内面１ｄでティッシュペーパーＰの自重を担持するように構成されている。
【００１５】
この実施の第一形態例は上記構成であるから、図２の如く、ティッシュペーパーボックス１を机やテーブル等の被取付物Ｗに逆着脱機構２によりティッシュペーパーボックス１の上面１ａが下を向く状態に逆取付けすることができ、机やテーブル等の底面に取り付けることができて机やテーブルの上面のスペースを狭めることが無くなり、ティッシュペーパーボックス１が邪魔になることもなくなり、それだけ使用の利便性を高めることができ、かつ、ティッシュペーパーボックス１内のティッシュペーパーＰの落下方向の自重は担持機構３により担持され、後続するティッシュペーパーＰが引きずられて引き抜かれることを防ぐことができ、それだけティッシュペーパーＰを一枚ずつ円滑に引き抜くことができ、一層使用の利便性を高めることができる。
【００１６】
この場合、上記逆着脱機構２として、相互に着脱可能な一対の面ファスナー２ａ・２ａを用いてなり、この一方の面ファスナー２ａを上記ティッシュペーパーボックス１の底面１ｃに貼着すると共に他方の面ファスナー２ａを被取付物Ｗの底面Ｗ1に貼着してなるから、ティッシュペーパーボックス１を被取付物Ｗの底面Ｗ1に容易に取り付けることができると共にティッシュペーパーボックス１の交換を容易に行うことができる。
【００１７】
又、この場合、上記担持機構３として、上記ティッシュペーパーボックス１を底面１ｃより上面１ａが小さな四角錐形状に形成し、ティッシュペーパーボックス１の四側面の内面１ｄでティッシュペーパーＰの自重を担持するように構成しているから、ティッシュペーパーボックス１の四側面の内面１ｄとティッシュペーパーＰの傾斜作用によりティッシュペーパーＰの自重を担持し、後続するティッシュペーパーＰが引きずられて引き抜かれることを防ぐことができ、それだけティッシュペーパーＰを一枚ずつ円滑に引き抜くことができる。
【００１８】
図４、５の第二形態例は別例構造を示し、この場合、上記担持機構３として、上記ティッシュペーパーボックス１の内面１ｄに上記ティッシュペーパーの自重を担持可能な突片体３ａを突出形成して構成している。
【００１９】
この第二形態例は上記構成であるから、上記第一形態例と同様にティッシュペーパーボックス１を机やテーブル等の被取付物Ｗに逆着脱機構２によりティッシュペーパーボックス１の上面１ａが下を向く状態に逆取付けすることができ、机やテーブル等の底面に取り付けることができて机やテーブルの上面のスペースを狭めることが無くなり、ティッシュペーパーボックス１が邪魔になることもなくなり、それだけ使用の利便性を高めることができ、かつ、ティッシュペーパーボックス１の内面１ｄに上記ティッシュペーパーの自重を担持可能な突片体３ａを突出形成しているから、ティッシュペーパーボックス１内のティッシュペーパーＰの落下方向の自重は突片体３ａにより担持され、後続するティッシュペーパーＰが引きずられて引き抜かれることを防ぐことができ、それだけティッシュペーパーＰを一枚ずつ円滑に引き抜くことができ、一層使用の利便性を高めることができる。
【００２０】
図６、図７の第三形態例は別例構造を示し、この場合、上記担持機構３として、上記ティッシュペーパーボックス１の対向内面間に上記ティッシュペーパーＰの自重を担持可能なゴム紐等の弾性紐体３ｂを架設して構成している。
【００２１】
この第三形態例は上記構成であるから、上記第一形態例と同様にティッシュペーパーボックス１を机やテーブル等の被取付物Ｗに逆着脱機構２によりティッシュペーパーボックス１の上面１ａが下を向く状態に逆取付けすることができ、机やテーブル等の底面に取り付けることができて机やテーブルの上面のスペースを狭めることが無くなり、ティッシュペーパーボックス１が邪魔になることもなくなり、それだけ使用の利便性を高めることができ、かつ、ティッシュペーパーボックス１の対向内面１ｄ・１ｄ間に上記ティッシュペーパーＰの自重を担持可能な弾性紐体３ｂを架設しているから、ティッシュペーパーボックス１内のティッシュペーパーＰの落下方向の自重は弾性紐体３ｂにより担持され、後続するティッシュペーパーＰが引きずられて引き抜かれることを防ぐことができ、それだけティッシュペーパーＰを一枚ずつ円滑に引き抜くことができ、一層使用の利便性を高めることができる。
【００２２】
又、図８乃至図１１の第四形態例は別例構造を示し、この場合、上記逆着脱機構２として、上記被取付物Ｗに取付可能な中間部材４を形成し、この中間部材４に上記ティッシュペーパーボックス１の底面に着脱自在に係合可能な係合部５を設けてなり、即ち、中間部材４を上記被取付物Ｗに一対の面ファスナー４ａ・４ａにより着脱自在に取り付け、ティッシュペーパーボックス１の底面に切込溝部１ｅ・１ｅを形成し、中間部材４に一方の切込溝部１ｅから他方の切込溝部１ｅへと挿通可能な舌片状の係合部５を形成すると共に中間部材４に係合部５を規制可能な回動規制片４ｂをピン４ｃにより回動自在に枢着して構成している。
【００２３】
この第四形態例は上記構成であるから、上記第一形態例と同様にティッシュペーパーボックス１を机やテーブル等の被取付物Ｗに逆着脱機構２によりティッシュペーパーボックス１の上面１ａが下を向く状態に逆取付けすることができ、机やテーブル等の底面に取り付けることができて机やテーブルの上面のスペースを狭めることが無くなり、ティッシュペーパーボックス１が邪魔になることもなくなり、それだけ使用の利便性を高めることができ、かつ、上記逆着脱機構２として、上記被取付物Ｗに取付可能な中間部材４を形成し、この中間部材４に上記ティッシュペーパーボックス１の底面に着脱自在に係合可能な係合部５を設けてなるから、逆着脱機構２を兼用化することができ、ティッシュペーパーボックス１の交換を容易に行うことができる。
【００２４】
以上、所期の目的を充分達成することができる。
【図面の簡単な説明】
【００２５】
【図１】本発明の実施の第一形態例の部分斜視図である。
【図２】本発明の実施の第一形態例の側断面図である。
【図３】本発明の実施の第一形態例の斜視図である。
【図４】本発明の実施の第二形態例の側断面図である。
【図５】本発明の実施の第二形態例の斜視図である。
【図６】本発明の実施の第三形態例の側断面図である。
【図７】本発明の実施の第三形態例の斜視図である。
【図８】本発明の実施の第四形態例の側断面図である。
【図９】本発明の実施の第四形態例の部分斜視図である。
【図１０】本発明の実施の第四形態例の斜視図である。
【図１１】本発明の実施の第四形態例の底面図である。
【符号の説明】
【００２６】
Ｐ    ティッシュペーパー
Ｗ    被取付物
Ｗ1    底面
１    ティッシュペーパーボックス
１ａ    上面
１ｂ    引抜口
１ｃ    底面
１ｄ    内面
２    逆着脱機構
２ａ    面ファスナー
３    担持機構
３ａ    突片体
３ｂ    弾性紐体
４    中間部材
４ａ    面ファスナー
５    係合部
【図１】
2005162243.tif 000003
【図２】
2005162243.tif 000004
【図３】
2005162243.tif 000005
【図４】
2005162243.tif 000006
【図５】
2005162243.tif 000007
【図６】
2005162243.tif 000008
【図７】
2005162243.tif 000009
【図８】
2005162243.tif 000010
【図９】
2005162243.tif 000011
【図１０】
2005162243.tif 000012
【図１１】
2005162243.tif 000013